(57)【特許請求の範囲】
【請求項１】
ベッド或いは畳とベッド或いは畳上に敷かれたマットレス，敷布団等の下敷きとの間に差込み挿置する据付けフレームを備え、掛け布団，ブランケット，ベッドカバー等の上掛けを縁部で挟込み保持する止め環を下敷きの縁部より外方に露出する据付けフレームの端部側に備える寝具用上掛けのズレ止め具であって、
略Ｕ字状の軸曲げ形状を呈する枠軸部と、枠軸部の上端間に亘る受け軸部とを金属線材から形成し、枠軸部の縦軸部分を両端の輪曲げ部でスライド可能に保持させて挟み桟を該縦軸部分の軸間に掛け渡し、上掛けの縁部を受け軸部と挟み桟とから挟込み保持可能に組み立てた止め環を備えると共に、
間隔を隔てて相平行する二本の据付け軸部を基軸部より連続させて金属線材から形成し、枠軸部の湾曲軸部分を各軸端の輪曲げ部でスライド可能に保持させて据付け軸部を上掛け側より加わる引っ張りで枠軸部の湾曲軸部分に沿った輪曲げ部のスライドで近接変位可能に組み立てた据付けフレームを備えてなることを特徴とする寝具用上掛けのズレ止め具。
【請求項２】
ローレット加工面を有するゴム質チューブにより、据付け軸部から基軸部に亘る軸全長を被覆したことを特徴とする請求項１に記載の寝具用上掛けのズレ止め具。
【発明の詳細な説明】
【技術分野】
【０００１】
本発明は、掛け布団，ブランケット，ベッドカバー等を含む寝具用上掛けのズレ止め具に関するものである。
【背景技術】
【０００２】
従来、寝具用上掛けのズレ止め具としては、ベッド或いは畳とベッド或いは畳上に敷かれたマットレス，敷布団等の下敷きとの間に差込み挿置する据付けフレームを備え、掛け布団，ブランケット，ベッドカバー等の上掛けを縁部で挟込み保持する止め環を下敷きの縁部より外方に露出する据付けフレームの端部側に備えるものが提案されている（特許文献１）。
【０００３】
止め環としては、略Ｕ字状の軸曲げ形状を呈する枠軸部と、枠軸部の上端間に亘る受け軸部とを金属線材から形成し、枠軸部の縦軸部分を両端の輪曲げ部でスライド可能に保持させて挟み桟を縦軸部分の軸間に掛け渡すことから、上掛けの縁部を受け軸部と挟み桟とで挟込み保持可能に組み立てたものが備え付けられている。
【０００４】
据付けフレームとしては、金属平板を二つ折りすることから、枠軸部の湾曲軸部分を遊嵌保持した短冊状の芯材をベースにし、芯材をゴム質の帯板材で被覆することにより、止め環を下敷きの縁部より外方に露出する端部側に取り付けたものが備え付けられている。
【０００５】
その寝具用上掛けのズレ止め具においては、枠軸部の湾曲軸部分を据付けフレームで遊嵌保持することから、止め環が上掛け側より加わる引っ張りで倒込み方向に揺動可能に備え付けられている。然し、止め環の揺動に伴っては、据付けフレームが止め環の備付け側から捲れ上がる方向に直に引っ張られて下敷きの縁部より外方に摺り出てきてしまう。
【特許文献１】特開平２００６−０２６００７
【発明の開示】
【発明が解決しようとする課題】
【０００６】
本発明が解決しようとする課題は、止め環が上掛け側より引っ張られても、据付けフレームが下敷きの縁部より外方に摺り出るのを抑えられる寝具用上掛けのズレ止め具を提供することを目的とする。
【課題を解決するための手段】
【０００７】
本願の請求項１は、ベッド或いは畳とベッド或いは畳上に敷かれたマットレス，敷布団等の下敷きとの間に差込み挿置する据付けフレームを備え、掛け布団，ブランケット，ベッドカバー等の上掛けを縁部で挟込み保持する止め環を下敷きの縁部より外方に露出する据付けフレームの端部側に備える寝具用上掛けのズレ止め具であって、
略Ｕ字状の軸曲げ形状を呈する枠軸部と、枠軸部の上端間に亘る受け軸部とを金属線材から形成し、枠軸部の縦軸部分を両端の輪曲げ部でスライド可能に保持させて挟み桟を該縦軸部分の軸間に掛け渡し、上掛けの縁部を受け軸部と挟み桟とから挟込み保持可能に組み立てた止め環を備えると共に、
間隔を隔てて相平行する二本の据付け軸部を基軸部より連続させて金属線材から形成し、枠軸部の湾曲軸部分を各軸端の輪曲げ部でスライド可能に保持させて据付け軸部を上掛け側より加わる引っ張りで枠軸部の湾曲軸部分に沿った輪曲げ部のスライドで近接変位可能に組み立てた据付けフレームを備えてなることを特徴とする。
【０００８】
本願の請求項２は、ローレット加工面を有するゴム質チューブにより、据付け軸部から基軸部に亘る軸全長を被覆したことを特徴とする。
【発明の効果】
【０００９】
本願の請求項１に係る寝具用上掛けのズレ止め具に依れば、間隔を隔てて相平行する二本の据付け軸部を基軸部より金属線材から形成し、枠軸部の湾曲軸部分を各軸端の輪曲げ部でスライド可能に保持する据付けフレームを備えるため、止め環が上掛け側より引っ張られるに伴って、据付け軸部が枠軸部の湾曲軸部分に沿った輪曲げ部のスライドで近接変位することから、据付け軸部が反り返る方向に変形するのを緩和でき、据付けフレームが下敷きの縁部より外方に摺り出るのを抑えられる。
【００１０】
本願の請求項２に係る寝具用上掛けのズレ止め具に依れば、据付け軸部から基軸部に亘る軸全長を被覆するゴム質チューブのローレット加工面により、ベッド或いは畳とベッド或いは畳上に敷かれたマットレス，敷布団等の下敷きとの摩擦抵抗を付加できるから、据付けフレームが下敷きの縁部より外方に摺り出るのをより確実に抑えられる。
【発明を実施するための最良の形態】
【００１１】
図示実施の形態に基づいて説明すると、図示実施の形態に係る寝具用上掛けのズレ止め具は、図１で示すように止め環１と据付けフレーム２とを備えて構成されている。各構成部１，２は、丸棒状の金属線材を折り曲げた主体部を備えて形成されている。止め環１にあっては軸径略３ｍｍ程度の金属線材を用い、据付けフレーム２にあっては軸径略２ｍｍ程度の金属線材を用いて形成されている。
【００１２】
止め環１は、金属線材を折り曲げた略Ｕ字状の軸曲げ形状を呈する枠軸部１０と、枠軸部１０の上端間に亘る受け軸部１１ａ，１１ｂとを主体部に形成されている。受け軸部１１ａ，１１ｂは、軸線部分を押し潰すことから平板状に形成され、また、縦軸部分１０ａ，１０ｂの広がり変位可能な弾性を持たせられるよう多少の間隔を保って二つに分離形成されている。
【００１３】
枠軸部１０には、縦軸部分１０ａ，１０ｂを両端の輪曲げ部１２ａ，１２ｂでスライド可能に保持することから、狭幅な金属平板の挟み桟１２が縦軸部分１０ａ，１０ｂの軸間に掛渡し装着されている。挟み桟１２は、桟本体１２ｃを縦軸部分１０ａ，１０ｂの外側に面する軸線上にあてがい、輪曲げ部１２ａ，１２ｂを縦軸部分１０ａ，１０ｂの内側に面する軸線上に巻き込んで設け、後述するように上掛けの縁部を受け軸部１１ａ，１１ｂと桟本体１２ｃとから挟込み保持可能な隙間を保って取り付けられている。
【００１４】
据付けフレーム２は、図２で示すように間隔を隔てて相平行する二本の据付け軸部２０ａ，２０ｂを基軸部２１より連続させて狭間隔で長尺な平面略Ｕ字状を呈する主体部を備えて形成されている。また、枠軸部１０の湾曲軸部分１０ｃをスライド可能に保持する輪曲げ部２２ａ，２２ｂを据付け軸部２０ａ，２０ｂの各軸端に設けて止め環１に取り付けられている。
【００１５】
輪曲げ部２２ａ，２２ｂは、軸線の下側から上側内方に向って湾曲軸部分１０ｃの軸線を抱え込むよう設けられている。その輪曲げ部２２ａ，２２ｂは、後述するように据付け軸部２０ａ，２０ｂを上掛け側より加わる引っ張りで枠軸部１０の湾曲軸部分１０ｃに沿って近接方向に変位するものとして設けられている。輪曲げ部２２ａ，２２ｂを除き、据付け軸部２０ａ，２０ｂから基軸部２１に亘る軸全長はローレット加工面を有するゴム質チューブ２３で被覆されている。
【００１６】
止め環１としては、図３で示すように縦軸部分１０ａ，１０ｂの軸線外距離ａ：４ｃｍ、挟み桟１２の長手方向外縁距離ｂ：４．４ｃｍ、受け軸部１１ａ，１１ｂと湾曲軸部分１０ｃの外縁距離ｃ：４．５ｃｍ程度の大きさを有するものを備えればよい。
【００１７】
据付けフレーム２としては、図２で示すように据付け軸部２０ａ，２０ｂの軸線外距離ｄ：２．８ｃｍ、輪曲げ部２２ａ，２２ｂと基軸部２１の外縁距離ｅ：２２．８ｃｍ程度の大きさを有するものを備えればよい。ゴム質チューブ２３としては、外径：８ｍｍ程度のものを用いればよい。
【００１８】
このように構成する寝具用上掛けのズレ止め具は、図４で例示するようにベッドカバーＣの裾縁部を止め環１で挟込み保持し、止め環１をマットレスＭの縁部より外方に露出させて据付けフレーム２をベッドＢとベッドＢの上に敷かれたマットレスＭとの間に差込み挿置することから、ベッドカバーＣを両裾縁よりズレ止めするものとして二個組に用いるようにできる。
【００１９】
その他に、掛け布団，ブランケットの縁部を止め環１で挟込み保持し、据付けフレーム２を畳と畳の上に敷かれたマットレス，敷布団等の下敷きとの間に差込み挿置することから上掛け類のズレ止めとしても用いるようにできる。また、止め環１により挟込み保持する縁部は両側脇，両衿端等の適宜個所に設定でき、使用個数も使用形態に応じて複数増やせる。
【００２０】
ベッドカバーの縁部を止め環１で保持するには、まず、挟み桟１２を受け軸部１１ａ，１１ｂより離間し（図１参照）、ベッドカバーＣの縁部を受け軸部１１ａ，１１ｂの上側より挟み桟１２との間隔内に差し込み、挟み桟１２を受け軸部１１ａ，１１ｂまでスライド移動することから、図５で示すようにベッドカバーＣの縁部を受け軸部１１ａ，１１ｂと挟み桟１２とで挟み込めばよい。
【００２１】
挟み桟１２を受け軸部１１ａ，１１ｂまでスライド移動すると、挟み桟１２が広がり変位していた枠軸部１０の縦軸部分１０ａ，１０ｂを近接変位させて保持することから、挟み桟１２はベッドカバーＣから引張り力が加わっても受け軸部１１ａ，１１ｂより離間方向にズレ動かない。これにより、ベッドカバーＣの縁部は外れ出さないよう受け軸部１１ａ，１１ｂと挟み桟１２とで確実に挟込み保持できる。
【００２２】
ベッドカバーＣの裾縁部を止め環１で挟込み保持し、止め環１をマットレスＭの縁部より外方に露出させて据付けフレーム２をベッドＢとベッドＢの上に敷かれたマットレスＭとの間に差込み挿置した状態（図４参照）においては、図６で示すように据付け軸部２０ａ，２０ｂが相対間隔を保って静止形態にある。
【００２３】
就寝者が布団に入る等に伴って、ベッドカバーＣから引張り力が加わると、止め環１が引っ張られるが、その引張りにより、図７で示すように据付け軸部２０ａ，２０ｂが枠軸部１０の湾曲軸部分１０ｃに沿った輪曲げ部２２ａ，２２ｂのスライドで近接変位し、止め環１が引張り方向Ｆに動く。これにより、据付け軸部２０ａ，２０ｂが反り返る方向に変形するのを緩和でき、据付けフレーム２がマットレスの縁部より外方に摺り出るのを抑えられる。
【００２４】
据付けフレーム２の摺出しは、据付け軸部２０ａ，２０ｂから基軸部２１に亘る軸全長を被覆するゴム質チューブ２３のローレット加工面により、ベッド或いは畳とベッド或いは畳上に敷かれたマットレス，敷布団等の下敷きとの摩擦抵抗を付加できることによっても確実に抑えられる。
【００２５】
本明細書中で用いた用語及び表現は単に説明のために便宜上用いたに過ぎないものであって、本発明の内容を何ら限定するものではない。そのような用語や表現を用いたとしても、そのことにより、上述した本発明の形態と均等なものやその一部を排除する意図はない。本発明は、権利が要求されている特許請求の範囲内で種々の変更を加えられることは明らかである。
【図面の簡単な説明】
【００２６】
【図１】本発明に係る寝具用上掛けのズレ止め具を据付けフレームの中間省略で示す斜視図である。
【図２】図１のズレ止め具を構成する据付けフレームの主体部を据付け軸部の中間省略で示す斜視図である。
【図３】図１のズレ止め具を示す正面図である。
【図４】図１のズレ止め具を使用状態で示す説明図である。
【図５】図１のズレ止め具により上掛けの縁部を挟込み保持する手順を示す説明図である。
【図６】図１のズレ止め具により上掛けの縁部を挟込み保持した状態を示す説明図である。
【図７】図１のズレ止め具に対して上掛け側より引張り力が加わった状態を示す説明図である。
【符号の説明】
【００２７】
１                止め環
１０              枠軸部
１０ａ，１０ｂ    枠軸部の縦軸部分
１０ｃ            枠軸部の湾曲軸部分
１１ａ，１１ｂ    受け軸部
１２              挟み桟
１２ａ，１２ｂ    挟み桟の輪曲げ部
２                据付けフレーム
２０ａ，２０ｂ    据付け軸部
２１              基軸部
２２ａ，２２ｂ    据付け軸部の輪曲げ部
２３              ゴム質チューブ
【図１】
0005115698.tif 000002
【図２】
0005115698.tif 000003
【図３】
0005115698.tif 000004
【図４】
0005115698.tif 000005
【図５】
0005115698.tif 000006
【図６】
0005115698.tif 000007
【図７】
0005115698.tif 000008